(57)【要約】  改善されたレッグカフを有する吸収性物品。この吸収性物品はトップシートと、トップシートと接合されたバックシートと、トップシートとバックシートとの間に配置された吸収性コアと、を含む。吸収性コアは長手方向縁部及び末端縁部を有することができ、吸収性物品は吸収性コアのそれぞれの長手方向縁部に沿って延在するレッグカフを有することができる。このレッグカフは揚上された位置及び平坦な位置、幅、長さ、体積、上面、内側バリア、外側バリア、下面、並びに揚上された位置で全体として四辺形の断面区域を有することができる。この断面区域は上面、内側バリア、外側バリア、及び下面によって画定される。
2013533029.tif 000002
【特許請求の範囲】
【請求項１】
トップシートと、当該トップシートに接合されたバックシートと、前記トップシートと前記バックシートとの間に位置づけられ長手方向縁部及び末端縁部を有する吸収性コアと、を備えた吸収性物品であって、
前記吸収性物品は、前記吸収性コアのそれぞれの長手方向縁部に沿って延在するレッグカフを備え、
前記レッグカフは、揚上された位置及び平坦な位置を有しており、
前記レッグカフは、高さ、幅、長さ、体積、上面、内側バリア、外側バリア、下面、及び前記揚上された位置で概して四辺形である断面区域を有しており、
前記断面区域は、前記上面、前記内側バリア、前記外側バリア、及び前記下面によって画定されている、吸収性物品。
【請求項２】
前記上面は、弾性材を含んでいる、請求項１に記載の吸収性物品。
【請求項３】
前記レッグカフが前記揚上された位置にあるときに、前記上面と前記下面の少なくとも一部分が、互いに対向して分離されており、
前記レッグカフが前記揚上された位置にあるときに、前記内側バリアと前記外側バリアの少なくとも一部分が、互いに対向して分離されている、請求項１又は２に記載の吸収性物品。
【請求項４】
前記レッグカフが前記揚上された位置にあるときに、前記上面と前記下面の少なくとも一部分が、互いに全体として平行である、請求項１〜３のいずれか一項に記載の吸収性物品。
【請求項５】
前記レッグカフが前記揚上された位置にあるときに、前記上面、前記内側バリア、前記外側バリア、及び前記下面のいずれもが、互いに平行でない、請求項１〜３のいずれか一項に記載の吸収性物品。
【請求項６】
前記上面、前記内側バリア、前記外側バリア、及び前記下面の１つ以上が、不織布材料を含んでいる、請求項１〜５のいずれか一項に記載の吸収性物品。
【請求項７】
前記吸収性物品は、失禁パッドである、請求項１〜６のいずれか一項に記載の吸収性物品。
【請求項８】
前記レッグカフが移動して末端部で前記揚上された位置になるのを防ぐように、前記上面は、前記吸収性物品の末端部で前記吸収性物品に永久接合されている、請求項１〜７のいずれか一項に記載の吸収性物品。
【請求項９】
前記揚上された位置は、その中央部分に提供されている、請求項１〜８のいずれか一項に記載の吸収性物品。
【請求項１０】
前記吸収性物品への取り付けの前に、弾性材が、その弛緩した寸法の約２００％を超えて伸張される、請求項１〜９のいずれか一項に記載の吸収性物品。
【発明の詳細な説明】
【技術分野】
【０００１】
本発明は、失禁パッドのような吸収性物品に関するものであり、より具体的には、本発明は、全体として四辺形の断面形状を有するレッグカフを有する吸収性物品に関する。
【背景技術】
【０００２】
横漏れは、尿失禁に使用される吸収性物品に一般的な問題である。勢いよく流出する尿排泄が吸収性物品の表面を一時的にあふれさせ、側周辺部から漏れ出す場合がある。この問題に対処するために、吸収性物品の横方向縁部に沿って多様なやり方で弾性ギャザリング要素がこれまで組み込まれてきた。
【０００３】
幾つかの物品は側周辺部に沿ってギャザリングされた弾性部材を有する。これらの弾性部材は、着用中の収縮を可能にするように、比較的硬い吸収性コアから十分に離して置かれる。ギャザリングされた縁部は、尿の横漏れに抵抗するために縁部バリアを作り出すことができる。しかし、これらの設計では、側部弾性部材は使用者の下着の弾性材に物理的に近い。下着の弾性材はしばしば吸収性物品の弾性材より支配的であり、吸収性物品の弾性材による横漏れ防止を無効にする。
【０００４】
その他の物品は物品の側面に沿って立ち上がったバリアを作るようにギャザリングされた弾性部材を利用する。これらの設計では、弾性材は吸収性物品の身体に面する表面に取り付けられた材料に組み込まれる。その意図は、着用中の弾性材が物品の表面から揚上されるようにして、物品のそれぞれの側に立ち上がったバリアを作り出し、尿の広がりを防ぐことである。しかし、これらの設計は、吸収材が塊になることによって側部バリアの材料が流体の通り道に押し入り、吸収性コアが効果的に機能するのを邪魔するため、横漏れ防止に対する信頼性がない。更に、これらの設計の多くは、弾性材が作り出す硬い縁部が着用者に当たって擦れるため、着用していて不快である。
【発明の概要】
【発明が解決しようとする課題】
【０００５】
したがって、改良された横漏れ防止を有する尿失禁用吸収性物品の必要はなおある。
【課題を解決するための手段】
【０００６】
改良されたレッグカフを有する吸収性物品が提供される。特定の実施形態では、吸収性物品はトップシートと、トップシートと接合されたバックシートと、トップシートとバックシートとの間に配置された吸収性コアと、を含む。吸収性コアは長手方向縁部と末端縁部とを有することができ、吸収性物品は吸収性コアのそれぞれの長手方向縁部に沿って延在するレッグカフを有することができる。このレッグカフは揚上された位置及び平坦な位置を有し、幅、長さ、体積、上面、内側バリア、外側バリア、下面、及び揚上された位置で全体として四辺形の断面区域を有する。この断面区域は上面、内側バリア、外側バリア、及び下面によって画定される。
【０００７】
また、トップシートと、トップシートと接合されたバックシートと、トップシートとバックシートとの間に配置された吸収性コアと、を有する吸収性物品も提供される。吸収性コアは長手方向縁部、末端縁部、中央部、及びその中央部分のそれぞれの側の末端部を有することができる。加えて、吸収性物品は、吸収性コアのそれぞれの長手方向縁部に沿って延在するレッグカフを有することができ、レッグカフはその中央部分に平坦な位置及び揚上された位置を有し、レッグカフは高さ、幅、長さ、体積、上面、内側バリア、外側バリア、下面、及びその揚上された位置で全体として四辺形である断面区域を有する。この断面区域は上面、内側バリア、外側バリア、及び下面によって画定され得る。特定の実施形態では、レッグカフが移動して末端部で揚上された位置になるのを防ぐように、上面を吸収性物品の末端部で吸収性物品に永久接合することができる。
【０００８】
更に、トップシートと、トップシートと接合されたバックシートと、トップシートとバックシートとの間に配置された吸収性コアと、を有する吸収性物品も提供される。吸収性コアは長手方向縁部、末端縁部、中央部、及びその中央部のそれぞれの側の末端部を有することができる。吸収性物品は、吸収性コアのそれぞれの長手方向縁部に沿って延在するレッグカフを有し、レッグカフはその中央部に平坦な位置及び揚上された位置を有し、レッグカフは高さ、幅、長さ、体積、吸収性物品への取り付けの前に弛緩した寸法の約２００％を超えて伸張される１つ以上の弾性ストランドを備える上面、内側バリア、外側バリア、トップシートに永久接合された下面、及び揚上された位置で全体として四辺形である断面区域を有する。この断面区域は上面、内側バリア、外側バリア、及び下面によって画定される。
【図面の簡単な説明】
【０００９】
本明細書は、本発明を具体的に指摘し、明確に請求する請求項をもって結論とするが、本発明は添付の図面とともに考慮される次の説明からよりよく理解されるものと考えられる。
【図１】失禁パッドの構成をより明確に示すために表面が一部切り取られている、失禁パッドである吸収性物品の上面図。
【図２】弾性材の収縮後の、切断線２−２に沿って取られた、図１の吸収性物品の断面図。
【図３】弾性材の収縮前の、切断線２−２に沿って取られた、図１の吸収性物品の断面図。
【図４】弾性材の収縮後の、切断線４−４に沿って取られた、図１の吸収性物品の断面図。
【発明を実施するための形態】
【００１０】
本発明は、改善されたレッグカフを有する吸収性物品に関する。レッグカフは、例えば台形のような全体として四辺形の断面形状を有することができる。概して、吸収性物品が使用者によって下着に適用されたとき、レッグカフ内の弾性収縮がレッグカフの揚上を引き起こし、持ち上げられた側縁部を有する改善された吸収性物品を提供する。使用中、レッグカフは使用者の下着によって使用者の会陰部の周囲の皮膚に当たって押し上げられることによりガスケット効果を生成する。すると、尿を吸収性物品の吸収性区域内に維持するように、体液は吸収性物品の中間に向かって方向付けられ得る。驚くべきことに、この四辺形レッグカフ構成は改善された快適さと横漏れ防止を提供することが発見された。加えて、四辺形レッグカフ構成は、レッグカフが吸収材への流体の通り道を塞ぐリスクがないように、レッグカフが歪められて吸収性物品の長手方向中心線に向かって束ねられるのを防ぐ。
【００１１】
本明細書で使用する場合、用語「吸収性物品」は、身体排泄物を吸収し収容する装置を指し、より具体的には、着用者の身体に当てて又は着用者の身体に近接して配置されて、身体から排泄された様々な排泄物を吸収し収容する装置を指す。吸収性物品としては、失禁パッド、生理ナプキン、使い捨ておむつ、失禁ブリーフ、トレーニングパンツなどが挙げられる。
【００１２】
本明細書で使用するとき、用語「使い捨て」は、洗濯するか又は別の方法で吸収性物品として復元若しくは再使用することを意図したものでない吸収性物品を表す（すなわち、それらの吸収性物品は、一度使用した後に廃棄することを、好ましくは、再生利用するか、堆肥にするか、又は別の環境に適合する方式で処分することを意図したものである）。
【００１３】
本明細書で使用するとき、用語「長手方向」は、吸収性物品が着用されるとき、立位の着用者を左と右に体を半分に二分する垂直平面と一般に一直線になる（例えば、ほぼ平行になる）、吸収性物品の平面の線、軸線又は方向を意味する。
【００１４】
本明細書で使用するとき、用語「永久接合される」は、付着された構成要素の１つを少なくとも部分的に破壊しない限り取り外せない接続を指す。
【００１５】
本明細書で使用するとき、用語「四辺形」は、４つの辺及び４つの角を有する形を指す。特定の実施形態では、角は直線の角である場合がある。あるいは、特定の実施形態では、１つ以上の角が丸い角である場合がある。加えて、特定の実施形態では、四辺形の辺は可撓性である場合がある。
【００１６】
本明細書で使用するとき、用語「解放可能に接合される」は、容易に解放可能な接続を指す。
【００１７】
本明細書で使用するとき、用語「横断方向」又は「横方向」は、互いに換言可能であり、長手方向に対して一般に垂直である吸収性物品の平面内に位置する線、軸線又は方向を意味する。
【００１８】
本明細書で使用するとき、用語「台形」は、少なくとも１対の平行な辺を有する、４つの辺及び４つの角を有する形を指す。
【００１９】
図１は、着用者に面する又は接触する吸収性物品２０の部分を図の視認者に向けて示す、本発明の吸収性物品２０の平面図である。図１に示されるように、吸収性物品２０は、液体透過性トップシート２２、トップシート２２と接合された液体不透過性バックシート２３、及びトップシート２２とバックシート２３との間に位置付けられる吸収性コア２４を含み得る。２つのレッグカフ２８は吸収性物品２０に固定される。レッグカフ２８は互いに間隔を開けた関係で吸収性物品２０のそれぞれの側に１つずつ置かれる。
【００２０】
吸収性物品２０は、体に接する表面すなわち身体側表面２０ａと衣類側表面２０ｂとの２つの表面を有する。図１に示した吸収性物品２０は身体側表面２０ａを見る視点で示されている。身体側表面２０ａは着用者の身体に隣接して着用されることが意図され、一方、衣類側表面２０ｂは身体側表面の反対側であって、吸収性物品２０が着用される際に着用者の下着に隣接して着用されることが意図される。吸収性物品２０はまた、２つの中心線、長手方向中心線１００、及び横断方向中心線１１０も有することが可能である。図１は、吸収性物品２０が吸収性物品２０の外側縁部によって画定された周辺３０を有することもまた示しており、その長手方向縁部（すなわち「側縁部」）は３１と指定され、末端縁部（又は「末端部」）は３２と指定されている。
【００２１】
図１は、吸収性物品２０の一実施形態を示しており、ここでトップシート２２及びバックシート２３は、吸収性コア２４よりも通常大きい長さ及び幅の寸法を有する。トップシート２２及びバックシート２３は、吸収性コア２４の縁部を越えて延在することによって周辺部３０を形成する。
【００２２】
図２は、レッグカフ２８が例えば弾性材４５の収縮後に揚上された位置にあるときに図１の２−２の切断線に沿って取られた吸収性物品２０の部分断面図である。特定の実施形態では、図２に図示したように、吸収性物品２０は吸収性コア２４及び／又は第２のトップシート２９を含む場合がある。吸収性コア２４は、例えば１つ以上の層、Ｃ折り、又は任意の他の好適な構成など、任意の好適な構成であってよい。図２に示したように、吸収性物品２０は、吸収性物品２０を着用者の下着に付着させるための接着性ファスナー３６を含んでもよい。特定の実施形態では、取り外し可能な剥離ライナーで接着性ファスナー３６を覆って、接着剤が使用前に下着の股部以外の表面に付着しないようにしてもよい。
【００２３】
図２に示したように、レッグカフ２８は揚上された位置において四辺形の断面を有することができる。特定の実施形態では、四辺形断面は上面４０、内側バリア４１、内側バリア４１の反対側の外側バリア４２、及び上面４０の反対側の下面４３によって形成され得る。概して、弾性材４５は上面４０の全てまたは一部に提供され得る。
【００２４】
図２に示したように、吸収性物品２０を使用者が下着に適用すると、レッグカフ２８内の弾性材４５の収縮がレッグカフ２８の揚上を引き起こす。この揚上された位置で、レッグカフ２８は上面４０、内側バリア４１、外側バリア４２、及び下面４３によって形成される四辺形断面を有する。四辺形断面は、Ａ点、Ｂ点、Ｃ点、及びＤ点で接続している、上面４０と、内側バリア４１と、外側バリア４２と、下面４３と、によって形成され得、Ａは例えばトップシート２２へのレッグカフ２８の付着点のような、内側バリア４１と下面４３との間の移行点であり、Ｂはレッグカフ２８と上面４０との間の移行点であり、Ｃは上面４０と外側バリア４２との間の移行点であり、Ｄはレッグカフ２８と下面４３との間の移行点である。
【００２５】
特定の実施形態では、レッグカフ２８が揚上された位置にあるとき、上面４０と下面４３は互いに分離されて対向しており、レッグカフ２８が揚上された位置にあるとき、内側バリア４１と外側バリア４２は互いに分離されて対向している。弾性材４５は、レッグカフ２８が揚上された位置のときに弾性材４５が下面４３に対して全体として平行であるように、上面４０の全て又は一部に沿って提供され得る。
【００２６】
加えて、図２に示したように、レッグカフ２８は高さＨ、幅Ｗ、及び体積４４を有することができる。体積４４は、レッグカフが揚上されているときに形成される開いた区域とみなされる。概して、総体積は、例えば上面４０がトップシート２２又は任意の他の好適な吸収性物品２０の部分に結合されていない場合のレッグカフ２８の長さなど、レッグカフ２８が揚上されているときに形成される開いた区域の長さを用いて決定され得る。
【００２７】
内側バリア４１は尿を吸収性物品の吸収性区域内に保持する役割を果たす。上面４０はレッグカフの表面を含有する弾性材である。この表面は身体に平らに当たって適合するため及び快適な着け心地のために好適な距離にかけて弾性力を散布することができる。外側バリア４２は、尿が内側バリアを通して徐々に伝わった場合の保護のための第２のバリアを提供する。加えて、外側バリア４２は、レッグカフが吸収材への流体の通り道を塞ぐリスクがないように、レッグカフが歪められて吸収性物品の長手方向中心線に向かって束ねられるのを防ぐ。特定の実施形態では、下面４３は例えば下に重なっている構成体接着剤が表面に接触するのを防ぐことによって、内側バリア４１及び外側バリア４２の揚上を可能にする。
【００２８】
図２に示したように、レッグカフ２８は、例えば接着剤５０及び／又は周辺けん縮シール５１を使用して、任意の好適な方法で吸収性物品２０に接合され得る。特定の実施形態では、下面４３は、例えば接着剤５２の使用など任意の好適な方法でトップシート２２に付着される。加えて、特定の実施形態では、レッグカフ２８の部分を含有する弾性材４５をレッグカフ２８上に折り返して、例えば３層の身体接触表面５３のような改善された身体接触表面を形成してもよい。弾性材４５含有部分は、例えば接着剤５４を使用するなど、任意の好適なやり方で折り畳んでレッグカフ２８と接合され得る。
【００２９】
図３に示したように、特定の実施形態では、レッグカフ２８は上面４０、内側バリア４１、内側バリア４１に対向する外側バリア４２、及び上面４０に対向する下面４３を含むが、レッグカフ２８が平坦な位置のときは、上面４０、下面４３、内側バリア４１、及び外側バリア４２はともに平坦化される。図３に示したように、レッグカフ２８は、例えば接着剤５０及び／又は周辺けん縮シール５１を使用して、任意の好適な方法で吸収性物品２０に接合され得る。特定の実施形態では、下面４３は、例えば接着剤５２の使用など任意の好適な方法でトップシート２２に付着される。加えて、特定の実施形態では、レッグカフ２８の部分を含有する弾性材４５をレッグカフ２８上に折り返して、例えば３層の身体接触表面５３のような改善された身体接触表面を形成してもよい。弾性材４５含有部分は、例えば接着剤５４を使用するなど、任意の好適なやり方で折り畳んでレッグカフ２８と接合され得る。
【００３０】
図４に示したように、特定の実施形態では、接着剤６１、６２、及び／又は６３、若しくは他の好適な結合剤を使用して、例えばレッグカフ２８をそれ自体に折り返してその折り畳まれた部分を吸収性物品２０の一部分に結合することによって、レッグカフ２８を吸収性物品２０に沿って結合することができる。例えば、特定の実施形態では、例えば接着剤又は他の好適な結合剤を使用して、折り返した部分を吸収性物品の末端部でトップシートに結合することができる。この構成はレッグカフ２８が吸収性物品の中央部分で揚上するのを可能にする一方で、それが末端部で揚上するのを防ぐ。
【００３１】
レッグカフを構築するために、弾性ストランドを伸張して張力下に置くことができる。特定の実施形態では、弾性材をその元の弛緩した寸法の約２００％〜約４００％、例えば約２５０％〜約３５０％伸張することができる。一例では、弾性材は長さｘを有することができ、伸張された弾性材の最終的な長さが３．５ｘとなるように追加的に２．５ｘ伸張され得る。別の例では、弾性材は長さｘを有することができ、伸張された弾性材の最終的な長さが３ｘとなるように追加的に２ｘ伸張され得る。更に別の例では、弾性材は長さｘを有することができ、伸張された弾性材の最終的な長さが２．５ｘとなるように追加的に１．５ｘ伸張され得る。次いで、例えば弾性ラップ接着剤又は他の好適な接着剤を用いて弾性材を接着することによって、弾性材を不織布に付着することができる。特定の実施形態では、接着された弾性材の長さは任意の好適な長さでよく、例えば約１００〜約５００ｍｍ、約１００〜約４００ｍｍ、約１００〜約３００ｍｍ、約１００〜約２００ｍｍ、約１５０〜約２００ｍｍ、又は吸収性物品の長さに沿って中心に置かれる他の任意の好適な長さであってよい。吸収性物品の末端で切断されると、弾性材は収縮してそれらの弛緩された寸法に戻ろうとする。
【００３２】
レッグカフの不織布は、例えばスロットコーティングされた接着剤の縞、グルービード、超音波シーリング、又は他の好適な結合剤によって吸収性物品のトップシートに結合され得る。特定の実施形態では、例えばけん縮又は例えば接着剤のような他の好適な結合剤を用いるなどして、吸収性物品の周辺マージンでバックシートにレッグカフ不織布を結合してもよい。
【００３３】
加えて、特定の実施形態では、弾性部材を有するレッグカフの部分をそれ自体に折り返し、その折返した部分を吸収性物品の長さに沿って連続的に接着してもよい。次いで、レッグカフが吸収性物品の両端で揚上するのを防ぐ一方で、それが吸収性物品の中央部分で揚上するのを可能にするために、折り返された部分を吸収性物品の末端部で断続的にトップシートに結合することができる。
【００３４】
吸収性コアは、液体（例えば生理液及び／又は尿）を吸収又は保持可能な任意の吸収材であってよい。吸収性コアは、身体側表面、衣類側表面、長手方向縁部、及び末端縁部を有する。吸収性コアは、一般的にエアフェルトと呼ばれる粉砕木材パルプなど使い捨ておむつ及び他の吸収性物品で一般的に使用される広範な液体吸収性材料から選択される１つ以上の材料を含んでよい。吸収性コアに用いられる他の好適な吸収性材料の例としては、クレープセルロースの詰め綿、コフォームを含むメルトブローポリマー、化学的に硬化、修飾、又は架橋されたセルロース繊維、けん縮ポリエステル繊維などの合成繊維、ピートモス、ティッシュラップ及びティッシュラミネートを含むティッシュ、吸収性発泡体、吸収性スポンジ、超吸収性ポリマー、吸収性ゲル材料、又は任意の同等の材料若しくは材料の組み合わせ、あるいはこれらの混合物が挙げられる。吸収性コアは異なる形態及び構造を有してもよい（例えば、吸収性コアは異なる厚さの領域を有してもよく（例えば中心の厚みが大きくなるような断面形状）、親水性勾配、超吸収性勾配又は低平均密度及び低平均坪量領域を有してもよく、あるいは１以上の層又は構造を有してもよい）。しかしながら吸収性コアの全吸収能力は、設計負荷及び吸収性物品の意図される用途に適合したものでなければならない。更に、吸収性コアのサイズ及び吸収能力は、異なる用途を可能にするように様々であってもよい。
【００３５】
吸収性物品は、使用中に排出された体液を吸収して収容することができる吸収性コアを有することができる。失禁パッド、パンティライナー、生理用ナプキン、又は本発明の他のこうしたデバイスの幾つかの実施形態では吸収性コアは必要ではなく、パッドはトップシート（それはいくらかの吸収力を有し得る）及び流体不透過性バックシートのみからなる。吸収性コアは任意の好適な材料から形成されてよく、例えば、多プライのけん縮セルロース塊、毛羽立てられたセルロース繊維、エアフェルトとしても既知である木材パルプ繊維、織物繊維、繊維のブレンド、繊維の塊又は芯、繊維のエアレイドウェブ、ポリマー繊維のウェブ及びポリマー繊維のブレンドが挙げられる。
【００３６】
特定の実施形態では、吸収性コアは比較的薄くてもよく、例えば、約１０ｍｍ未満又は約５ｍｍ未満の厚さ、又は約３ｍｍ未満若しくは約１ｍｍ未満の厚さであってもよい。厚さは、コアが１．７２ｋＰａ（０．２５ｐｓｉ）の均一の圧力下にある間に、当該技術分野で既知の任意の測定手段によって測定することができる。特定の実施形態では、吸収性コアは、当該技術分野において既知の、ＡＧＭ繊維を含む吸収性ゲル材料（ＡＧＭ）などの超吸収性材料を含むことができる。
【００３７】
吸収性コアは、ある形に成形又は切断されて、その外側縁部がコア周辺部を画定し得る。吸収性コアの形は、一般に矩形、円形、卵形、楕円形などであり得る。特定の実施形態では、吸収性コアを例えばＣ折り畳みのように折り畳んでもよい。あるいは、吸収性コアは、例えば１プライコア、２プライコア、３プライコアなどのような１つ以上の層又は積み重ねであってもよい。加えて、特定の実施形態では、吸収性コアは長手方向中心線Ｌ及び横断方向中心線Ｔに対して全体として中心にあってもよい。
【００３８】
吸収された体排出液が着用者の衣類に接触するのを防ぐために、特定の実施形態では吸収性物品は液体不透過性のバックシートを有することができる。バックシートは、例えばポリマーフィルム及びフィルム／不織布積層体のような、バックシートに好適な任意の材料を含んでよい。特定の実施形態では、吸収性物品の衣類側表面に、ある程度の柔軟性と蒸気透過性を提供するために、バックシートは、吸収性物品の衣類側表面の蒸気透過性外層であることができる。特定の実施形態では、バックシートは、例えば多孔質フィルム、孔あき成形フィルム、又は他の、上記透過性又は上記透過性にされ得るポリマーフィルムのような任意の好適な上記透過性材料から形成され得る。適した１つの材料は、疎水性であるか又は疎水性にされて、ほぼ液体不透過性である不織布ウェブのような、柔軟で、滑らかで、順応性のある蒸気透過性材料である。不織布ウェブは、柔軟性及び適合性を提供して快適さをもたらし、動作に伴って不必要な音を生じないように、音の発生を抑え得る。
【００３９】
身体に柔らかく隣接するように、特定の実施形態では、吸収性物品は本明細書でトップシートと呼ばれる身体側の層を有することができる。トップシートは、人の皮膚に対して心地よく、それを通して尿又は膣からの排泄物が通過することができる例えば繊維状不織布ウェブのような任意の柔らかい滑らかな適合性のある多孔性の材料であってよく、例えば２成分及び／又は形状化繊維などを含む任意の好適な繊維を含むことができる。特定の実施形態では、トップシートはまた、孔あきフィルムなど、液体透過性ポリマーフィルムであるか、又はオールウェイズ（ALWAYS）（登録商標）銘柄の生理用ナプキンなど、生理用ナプキンで既知であるような孔あき成形フィルムであり得る。
【００４０】
トップシート及びバックシートの少なくとも１つは形を画定してもよく、その縁部は吸収性物品の外辺を画定する。特定の実施形態では、トップシート及びバックシートの両方が吸収性物品の外辺を画定する。それらの２層は、それら全ての成分を吸収性物品の構造体に本明細書に記載されているように組み合わせた後、ダイ切断されてもよい。しかし、特定の実施形態では、トップシート又はバックシートのいずれかの形は独立に画定され得る。
【００４１】
特定の実施形態では、少なくとも１つの流体透過性の第２のトップシートが、吸収性コアとトップシートとの間に介在し得る。第２のトップシートは、流体の迅速な獲得及び／又は分配を助けてもよく、吸収性コアと流体連通してもよい特定の実施形態では、第２のトップシートは吸収性コアを完全には覆わないが、コアの周辺まで横方向に延在し得る。あるいは、トップシート、第２のトップシート、又は吸収性コアは、層状構造であり得、層は毛管圧などの流体輸送特性の差により流体輸送を促進する。
【００４２】
特定の実施形態では、吸収性コアは、トップシート又はバックシートのいずれかと同程度まで横方向外側に延在しないが、吸収性コアの外側周辺部は、コアの外側周辺部より実質的に大きくすることができる。この方法では、コア周辺部と生理用ナプキン外側周辺部との間の吸収性物品の区域は、通気性領域を画定することができ、この領域によって、着用時に蒸気が吸収性物品の一部を通過し、これにより、蒸気が逃げて、より乾燥した快適性をもたらすことが可能になる。通気性ゾーンを有する通気性ゾーン失禁パッドは、２００４年３月１日付で出願された米国特許出願番号第１０／７９０，４１８号に記載のものであってよい。
【００４３】
全ての構成要素は、当該技術分野において既知のように、ホットメルト接着剤を包含する接着剤によってともに接着することができる。接着剤は、フィンドレイ（Findlay）Ｈ２１２８  ＵＮ又はサバレ（Savare）ＰＭ  １７であり得、ダイナファイバー（Dynafiber）ＨＴＷシステムを用いて適用され得る。
【００４４】
使用の際、吸収性物品を定位置に保持するような目的に好適の任意の支持体又は付属品によって、吸収性物品を定位置に保持することができる。特定の実施形態では、吸収性物品は使用者の下着又はパンティに配置され、接着剤のようなファスナーによってそれに固定される。接着剤は吸収性物品を使用者のパンティの股間部に固定する。したがって、バックシートの外面の一部又は全ては接着剤でコーティングされる。本明細書に記載の接着剤として、例えば感圧性接着剤を使用するなど、そのような目的に好適な任意の接着剤又は糊を使用することができる。好適な接着剤としては、例えば、オハイオ州ＣｏｌｕｍｂｕｓのＣｅｎｔｕｒｙ  Ａｄｈｅｓｉｖｅｓ  Ｃｏｒｐｏｒａｔｉｏｎが製造するＣｅｎｔｕｒｙ  Ａ−３０５−ＩＶ及びニュージャージー州ＢｒｉｄｇｅｗａｔｅｒのＮａｔｉｏｎａｌ  Ｓｔａｒｃｈ  ａｎｄ  Ｃｈｅｍｉｃａｌ  Ｃｏｍｐａｎｙが製造するＩｎｓｔａｎｔ  Ｌｏｃｋ  ３４−２８２３が挙げられる。好適な接着性ファスナーは米国特許第４，９１７，６９７号にも記載されている。使用のために吸収性物品を配置する前は、感圧性接着剤は、使用前に接着剤が乾燥しないようにするため又はパンティの股間部ではない表面に付着しないようにするために、典型的には剥離可能な剥離ライナーで覆われている。好適な剥離ライナーは米国特許第４，９１７，６９７号及び同第４，５５６，１４６号に記載されている。そのような目的に一般に使用される任意の商用の利用可能な剥離ライナーを本明細書において使用してもよい。好適な剥離ライナーの非限定的な例はＢＬ３０ＭＧ−Ａ  Ｓｉｌｏｘ  Ｅ１／０及びＢＬ３０ＭＧ−Ａ  Ｓｉｌｏｘ  ４Ｐ／Ｏであり、いずれもウィスコンシン州ＭｅｎａｓｈａのＡｋｒｏｓｉｌ  Ｃｏｒｐｏｒａｔｉｏｎ製である。剥離ライナーを外し、次いで接着剤がパンティに接触するように吸収性物品をパンティに配置することによって吸収性物品を使用することができる。接着剤は使用中の吸収性物品をパンティのその位置に維持する。剥離ライナーは、吸収性物品を個別包装できるラッパーであってもよい。
【００４５】
吸収性物品は、例えば黒色、赤色、青色、紫色、橙色、黄色、緑色、及び藍色、並びにそれらの任意の色調又は混合色を含む１つ以上の色であり得る着色部分を含んでもよい。着色部分は吸収性物品の任意の好適な場所に提供され得る。一実施形態では、吸収性物品の身体側表面から着色部分を見ることができ、着色部分がトップシートの身体側表面及び／又は衣類側表面上に、及び／又はトップシートと吸収性コアとの間に配置された挿入物上に、及び／又は吸収性コアの一部として、提供されることによって、トップシートの視認される表面から見える。好適な着色部分は、例えば米国特許第７，２４１，２８０号に記載されている。加えて、レッグカフの全て又は一部分を着色してもよい。例えば、レッグカフに隣接する領域からレッグカフが区別できるように、レッグカフを着色してもよい。加えて、又は代わりに、例えば吸収性物品の身体側表面の中央領域から見える着色部分など、吸収性物品の別の領域とコーディネートするようにレッグカフを着色してもよい。
【００４６】
複数の吸収性物品をパッケージに配置してもよい。好適なパッケージとしては、任意の好適な形で任意の好適な材料から形成された例えば袋、箱などが挙げられる。加えて、吸収性物品をラッパーに個別包装してもよい。ラッパーは、吸収性又は他の物品性能特性例えばサイズ及び強度などを知らせるために使用できる色指標及び／又はデザイン指標を含んでもよい。一実施例では、パッケージは例えば米国特許第７，１８５，７６１号に記載のような窓を有することができ、吸収性物品をその窓から見ることができる。
【００４７】
本明細書に開示した寸法及び値は、記述された正確な数値に厳しく限定されるものと理解すべきでない。むしろ、特に言及しない限り、そのようなそれぞれの寸法は、記述された値と、その値の周辺の機能的に同等の範囲との両方を意味することを意図する。例えば、「４０ｍｍ」として開示された寸法は、「約４０ｍｍ」を意味することを意図する。
【００４８】
本発明の「発明を実施するための形態」で引用した全ての文献は、関連部分において本明細書に援用するが、いずれの文献の引用もそうした文献が本発明に対する先行技術であることを容認するものとして解釈されるべきではない。本書における用語の任意の意味又は定義が、参照により組み込まれた文献における同一の用語の任意の意味又は定義と相反する限りにおいては、本書においてその用語に与えられた意味又は定義が適用されるものとする。
【００４９】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の特許請求の範囲で扱うものとする。
【図１】
2013533029.tif 000003
【図２】
2013533029.tif 000004
【図３】
2013533029.tif 000005
【図４】
2013533029.tif 000006
【国際調査報告】
2013533029.tif 000007
2013533029.tif 000008